(57)【要約】      （修正有）【課題】投てき消火用具がどのように火元に投入されても、その衝撃による容器の破壊が容器各部に及び、破壊された各部分も小片となって飛び散ることにより、消火薬剤をより多方向により広範囲に、より偏り少なく散布させる。【解決手段】投てきされる容器内部には消火薬剤３とともに一つ以上の弾性部材４ｂを封入し、この弾性部材４ｂは圧縮され容器内壁に常時接していることにより、投てきされた際は容器各部が偏らずに破壊され小片となり飛び散り、消火薬剤３をより多方向により広範囲により偏り少なく散布させることができる。【選択図】図１
2018051233.tif 000002
【特許請求の範囲】
【請求項１】
投てきすることにより、容器内部に充填された消火薬剤により消火を行う投てき消火用具であって、容器内に消火薬剤と一つ以上の弾性部材とを封入し、この弾性部材は圧縮され容器内壁に常時接していることを特徴とする投てき消火用具
【発明の詳細な説明】
【技術分野】
【０００１】
本発明は消火薬剤を充填した容器を火元に投入することにより消火を行う投てき消火用具に関する。
【背景技術】
【０００２】
消火活動は火災発生の初期段階で行うことが被害拡大を防ぐ上で必要であり消火器はその役割を担う消火用具ではあるが、その操作は単純ではあるものの一定の手順に従う必要があり、いざ火災発生を目の前にするとパニック状態になる人も少なくなく、薬剤が噴射されなかったり誤った方向に噴射されてしまったりして消火の役目を果たせない場合も少なからず生じている。
【０００３】
これに対して投てき消火用具は手ごろな大きさで持ち易く投げ易いので特別な操作を要さず火元に向けて投げ込むだけの簡易な操作で消火活動を行えるというメリットがあり初期消火には効果的な手法の一つとなっている。
【先行技術文献】
【特許文献】
【０００４】
【特許文献１】特開2015-123313
【発明の概要】
【発明が解決しようとする課題】
【０００５】
この投てき消火用具として用いられる容器は衝撃を受けた際に容器が歪み破壊されるが、その破壊性状は衝撃の受け方により異なり、破損はするが大きな断片が残りそこに消火薬剤が残存したままとなり周囲に十分消火薬剤が散布されない、あるいは容器の破壊箇所に偏りが生じて特定方向のみに消火薬剤が散布される、という事態が生じて期待した消火性能を発揮できないことがある。
【０００６】
本来、投てき消火用具が一定の消火性能を発揮するためには、容器内の消火薬剤をできるだけ多方向かつ広範囲にまたより偏り少なく散布される必要があるが、そのためには容器は衝撃を受けた際に破壊されて各部が小片となり、これら各小片がより飛び散る必要がある。
【０００７】
本発明はこうした課題に鑑みてなされたもので、投てき消火用具がどのように火元に投入されても、その衝撃による容器の破壊が容器各部に及び、破壊された各部分も小片となって飛び散ることにより消火薬剤をより多方向により広範囲により偏り少なく散布させることを目的としている。
【課題を解決するための手段】
【０００８】
上記課題を解決するために、本発明は消火薬剤と弾性部材とを封入した容器を投てき消火用具とし、火元へ投入することにより容器に衝撃を与え、容器に歪を生じさせて容器各部への破壊力を生じさせるとともに、容器内の弾性部材を振動させその振動を容器各部に伝達させて各部を振動させ、この振動および上記の破壊力とによって容器各部に破損および分解をもたらし、さらに弾性部材の接している容器内壁の近傍部分は弾性部材による弾性力によって容器外部へ押しやられ消火薬剤が外部へ散布されるようにしたものである。
【０００９】
消火薬剤の散布性状を改善するために、本発明は二点間に弾性力あるいは復元力を有する弾性部材を採用している。
【００１０】
本発明による弾性部材の容積は小さいため数個の弾性部材を容器に封入しても封入する薬剤量が減るものではなく、またその表面積も小さいため薬剤の散布が抑えられることにもならない。
【００１１】
このような弾性部材を複数用い、これらをその容器内壁との各接触部分が均等間隔となるように配置することにより容器投入時の消火薬剤の散布性状を改善することができる。
【００１２】
また、本発明に使用される消火薬剤は液体、粉体のどちらでもよい。  例として液体のものではアルカリ金属塩類のもの、粉体のものではりん酸塩類のもの、など国家検定済品となっている消火薬剤などを使用することができる。
【発明の効果】
【００１３】
以上述べたように、本発明によれば、消火薬剤がより多方面より広範囲またより偏り少なく散布されることとなり、投てき消火用具のメリットである取り扱いの簡易さと相俟って、初期火災の消火活動をより迅速により効果的に行うことができる。
【図面の簡単な説明】
【００１４】
【図１】本実施例に係る投てき消火用具の全体構成図である。
【図２】本実施例に係る弾性部材の図である。
【発明を実施するための形態】
【００１５】
［実施形態］
以下に図面を参照して本発明に係る投てき消火用具及びそれを用いた消火方法の実施形態を詳細に説明する。  図１は本実施形態に係る投てき消火用具の全体構成の例を示し、図２は使用する弾性部材の例を示す。
【実施例】
【００１６】
図1は、本発明に係わる消火用具の例である。  消火用具とは、投てきされる容器1のことである。
容器1には開口部2aがあり、ここから消火薬剤3および弾性部材4bを挿入した後に蓋2bにより封じられる。
【００１７】
容器1は多面体を成しているが、各面の接する部分はなだらかな曲面を成していてもよい。  また、各面の接する部分を他の部分より肉薄にしてこの部分を破損されやすくしまた面と面とを分離し易くすることができる。  これは多面体の数を増やすほど消火薬剤の散布性状は効果的である。
【００１８】
図２は弾性部材の２つの例を示したものである。  弾性部材4aは単純なコイルスプリングを示したものだが複数挿入するのには向いていない。  弾性部材4bはこれを改善したもので容器１に複数挿入し易くしてある。  いずれも容器内壁に両端が接するコイルスプリングの例であるが、弾性部材としてはその他の構造のものでもよい。  弾性部材4bを容器との接触部が均等間隔となるようにできるだけたくさん挿入すれば、消火薬剤をより多方向により広範囲により偏り少なく散布させることができる。  
【００１９】
図１は分かり易さの点から２つの弾性部材を用いたものを示している。  もちろん挿入する弾性部材は多いほど消火薬剤の散布効果は大きくなるが、部材や作業のコストを考慮すると弾性部材を３つ用いそれぞれが直角方向となるように容器内に配置することが現実的である。
【００２０】
各弾性部材は、容器内壁に接触部Ａ5aおよび接触部Ｂ5bの二箇所で接しておりどちらの接触部にも容器を内側から外側に広げようとする力となるような弾性力が常時働いている。  これは容器1が破壊された場合に、その接触部分の容器断片が容器外部方向へ飛ぶことを意図したしたものである。
【００２１】
常時弾性力を受けている容器１は投入による衝撃を受けると歪を生じ、容器各部に破壊をもたらそうとする力が生ずる。  各弾性部材4bも振動しこの破壊力がさらに増すことによって全ての接触部5a、5bが破壊され小片となり外部に飛ぶ。  これにより消火薬剤はより多方向により広範囲により偏り少なく散布される。
【産業上の利用可能性】
【００２２】
本発明は操作が簡易なため火災発生に気づいたときにすぐ使用して消火活動を行うことができ、初期火災の鎮火や延焼火災の防止などに有効である。  消火器と比較しても火災の初期段階においては特にコストパフォーマンスの良い消火用具といえる。
【符号の説明】
【００２３】
1  容器
2a 開口部
2b 蓋
3  消火薬剤
4a 弾性部材タイプA
4b 弾性部材タイプB
5a  接触部Ａ
5b  接触部Ｂ                                                      
【図１】
2018051233.tif 000003
【図２】
2018051233.tif 000004